(57)【要約】【課題】ブーツを履く前に該ブーツ内を温めることができる任意の複数のブーツの加温に適用可能なブーツ温装置を提供する。【解決手段】ブーツ温器本体１００は、充電器２００に載置された際に充電される二次電池１２２と、弾性体からなるＵ字状の支持部材１１０と、支持部材１１０の一端に設けられ、第１発熱体１２１を内蔵し、ブーツ内に挿入された際に、支持部材１１０の弾性力によりブーツの爪先部内壁に当接される第１発熱部１２０と、支持部材１１０の他端に設けられ、第２発熱体１３１を内蔵し、ブーツ内に挿入された際に、支持部材１１０の弾性力によりブーツの踵部の内壁に当接される第２発熱部１３０と、充電器２００から外されたとき、二次電池１２２から第１発熱体１２１及び第２発熱体１３１への給電を開始して第１発熱体１２１及び第２発熱体１３１を発熱させるように制御する制御部１２３とを具備する。【選択図】  図１
2015139298.tif 000002
【特許請求の範囲】
【請求項１】
ブーツを履く前に該ブーツ内を温めるブーツ温装置であって、
ブーツ内に挿入されるブーツ温器本体と、
充電器と、
を具備し、
前記ブーツ温器本体は、
前記充電器に載置された際に充電される二次電池と、
弾性体からなるＵ字状の支持部材と、
前記支持部材の一端に設けられ、第１発熱体を内蔵し、前記ブーツ内に挿入された際に、前記支持部材の弾性力により前記ブーツの爪先部の内壁に当接される第１発熱部と、
前記支持部材の他端に設けられ、第２発熱体を内蔵し、前記ブーツ内に挿入された際に、前記支持部材の弾性力により前記ブーツの踵部の内壁に当接される第２発熱部と、
前記充電器から外されたとき、前記二次電池から前記第１発熱体及び前記第２発熱体への給電を開始して前記第１発熱体及び前記第２発熱体を発熱させる制御部と、
を具備することを特徴とするブーツ温装置。
【請求項２】
前記二次電池は、前記第１発熱部及び前記第２発熱部のいずれか一方に内蔵され、
前記支持部材は、中空構造からなり、
前記二次電池が内蔵されていない前記第１発熱部若しくは第２発熱体には前記二次電池から支持部材の中空部に配設された電線を通って給電されることを特徴とする請求項１に記載のブーツ温装置。
【請求項３】
前記制御部は、前記ブーツ温器本体が前記充電器から外されてから一定時間経過すると、前記第１発熱体及び前記第２発熱体への給電を終了する過加温防止手段を有することを特徴とする請求項１又は２に記載のブーツ温装置。
【請求項４】
前記充電器は、前記ブーツ温器本体が前記充電器上に載置されたときに、電磁誘導により前記二次電池を充電する無接点充電器からなることを特徴とする請求項１乃至３のいずれか１項に記載のブーツ温装置。
【請求項５】
前記ブーツ温器本体の底面及び前記充電器の上面の少なくとも一方に、前記ブーツ温器本体を前記充電器に載置した際に前記ブーツ温器本体を前記充電器上に固定する磁石が搭載されていることを特徴とする請求項１乃至４のいずれか１項に記載のブーツ温装置。
【発明の詳細な説明】
【技術分野】
【０００１】
この発明は、ブーツを履く前に該ブーツ内を温めるブーツ温装置に関する。
【背景技術】
【０００２】
寒い朝等に最初にブーツを履くときは、ブーツの爪先部及び踵部等が冷たく冷えているために違和感があり、また、ブーツを履いた後も、爪先部及び踵部等がなかなか暖まらないために、快適な履き心地を得ることができなかった。
【０００３】
従来、ブーツ等の履き心地を改善するために、ブーツ内を暖める装置としては、特許文献１に開示されたもの等が知られている。
【０００４】
この特許文献１には、靴底と中敷との間及び靴外側面の靴内部に配設され、水（熱交換用流動体）が一方向に流動可能に供給された経路１と、当該経路１の一部に配設され、靴底に加わる荷重の変化により開閉する逆止弁２と、靴外側面に配設された経路１２の一部と接するように加冷剤又は加温剤４を保持可能な収納部３と、を備えた温度調節機構付き靴１００が開示されている。
【先行技術文献】
【特許文献】
【０００５】
【特許文献１】特開２００９−１１２５５２号公報
【発明の概要】
【発明が解決しようとする課題】
【０００６】
しかしながら、特許文献１に開示された温度調節機構付き靴は、その暖める機構と靴とが一体になっているので、靴自体が高価になり、また、その機構が付いた靴のみの加温が可能になるだけで、任意の複数のブーツ等の加温に適用することはできなかった。
【０００７】
そこで、この発明は、ブーツを履く前に該ブーツ内を温めることができる任意の複数のブーツの加温に適用可能なブーツ温装置を提供することを目的とする。
【課題を解決するための手段】
【０００８】
上記目的を達成するため、請求項１の発明は、ブーツを履く前に該ブーツ内を温めるブーツ温装置であって、ブーツ内に挿入されるブーツ温器本体と、充電器と、を具備し、前記ブーツ温器本体は、前記充電器に載置された際に充電される二次電池と、弾性体からなるＵ字状の支持部材と、前記支持部材の一端に設けられ、第１発熱体を内蔵し、前記ブーツ内に挿入された際に、前記支持部材の弾性力により前記ブーツの爪先部の内壁に当接される第１発熱部と、前記支持部材の他端に設けられ、第２発熱体を内蔵し、前記ブーツ内に挿入された際に、前記支持部材の弾性力により前記ブーツの踵部の内壁に当接される第２発熱部と、前記充電器から外されたとき、前記二次電池から前記第１発熱体及び前記第２発熱体への給電を開始して前記第１発熱体及び前記第２発熱体を発熱させる制御部と、を具備することを特徴とする。
【０００９】
請求項２の発明は、請求項１の発明において、前記二次電池は、前記第１発熱部及び前記第２発熱部のいずれか一方に内蔵され、前記支持部材は、中空構造からなり、前記二次電池が内蔵されていない前記第１発熱部若しくは第２発熱体には前記二次電池から支持部材の中空部に配設された電線を通って給電されることを特徴とする。
【００１０】
請求項３の発明は、請求項１又は２に記載の発明において、前記制御部は、前記ブーツ温器本体が前記充電器から外されてから一定時間経過すると、前記第１発熱体及び前記第２発熱体への給電を終了する過加温防止手段を有することを特徴とする。
【００１１】
請求項４の発明は、請求項１乃至３のいずれか１項に記載の発明において、前記充電器は、前記ブーツ温器本体が前記充電器上に載置されたときに、電磁誘導により前記二次電池を充電する無接点充電器からなることを特徴とする。
【００１２】
請求項５の発明は、請求項１乃至４のいずれかの発明において、前記ブーツ温器本体の底面及び前記充電器の上面の少なくとも一方に、前記ブーツ温器本体を前記充電器に載置した際に前記ブーツ温器本体を前記充電器上に固定する磁石が搭載されていることを特徴とする。
【発明の効果】
【００１３】
この発明は、ブーツを履く前に該ブーツ内を温めるブーツ温装置であって、ブーツ内に挿入されるブーツ温器本体と、充電器と、を具備し、前記ブーツ温器本体は、前記充電器に載置された際に充電される二次電池と、弾性体からなるＵ字状の支持部材と、前記支持部材の一端に設けられ、第１発熱体を内蔵し、前記ブーツ内に挿入された際に、前記支持部材の弾性力により前記ブーツの爪先部の内壁に当接される第１発熱部と、前記支持部材の他端に設けられ、第２発熱体を内蔵し、前記ブーツ内に挿入された際に、前記支持部材の弾性力により前記ブーツの踵部の内壁に当接される第２発熱部と、前記充電器から外されたとき、前記二次電池から前記第１発熱体及び前記第２発熱体への給電を開始して前記第１発熱体及び前記第２発熱体を発熱させる制御部と、を具備して構成したので、ブーツを履く前に該ブーツ内を容易に温めることができ、これにより、寒い朝等においても、ブーツを違和感なく快適に履くことができ、しかも、任意の複数のブーツの加温に適用可能であるという効果を奏する。
【図面の簡単な説明】
【００１４】
【図１】図１は、この発明に係るブーツ温装置の一実施例を示す図である。
【図２】図２は、図１に示したブーツ温装置の機能を説明するブロック図である。
【図３】図３は、図１に示したブーツ温装置の動作を説明するフローチャートである。
【図４】図４は、図１に示したブーツ温装置の使用例を説明する図である。
【発明を実施するための形態】
【００１５】
以下、この発明に係わるブーツ温装置の実施例を添付図面を参照して詳細に説明する。
【００１６】
図１は、この発明に係るブーツ温装置の一実施例を示す図である。
【００１７】
図１に示すブーツ温装置は、例えば、寒い朝等に、ブーツを履く前に該ブーツ内を温めるもので、ブーツ内に挿入されるブーツ温器本体１００と、充電器２００とから構成される。
【００１８】
ここで、ブーツ温器本体１００は、弾性体からなるＵ字状の支持部材１１０と、支持部材１１０の一端に設けられ、ブーツ（図４参照）内に挿入された際に、支持部材１１０の弾性力によりブーツの爪先部の内壁に当接される第１発熱部１２０と、支持部材１１０の他端に設けられ、ブーツ内に挿入された際に、支持部材１１０の弾性力によりブーツの踵部の内壁に当接される第２発熱部１３０とを具備する。
【００１９】
充電器２００は、第１発熱部１２０及び第２発熱部１３０を収容してブーツ温器本体１００を載置可能な形状からなり、プラグ２１０からのＡＣ電源の給電により、ブーツ温器本体１００が充電器２００上に載置されたときに、電磁誘導によりブーツ温器本体１００内に内蔵される二次電池（図２参照）を充電する無接点充電器から構成される。
【００２０】
図２は、図１に示したブーツ温装置の機能を説明するブロック図である。
【００２１】
図１に示したブーツ温装置の第１発熱部１２０は、第１発熱体１２１、二次電池１２２、制御部１２３、スイッチＳＷ１、スイッチＳＷ２を有する。
【００２２】
また、図１に示したブーツ温装置の第２発熱部１３０は、第２発熱体１３１を有する。
【００２３】
第１発熱体１２１は、スイッチＳＷ１を介して二次電池１２２に接続され、スイッチＳＷ１がオンに制御されると、二次電池１２２からの給電により発熱する。
【００２４】
また、図１に示した支持部材１１０は、中空構造からなり、第２発熱体１３１は、この中空構造の支持部材１１０の中に配設された電線１４０、スイッチＳＷ２を介して二次電池１２２に接続され、スイッチＳＷ２がオンに制御されると、二次電池１２２からの給電により発熱する。
【００２５】
制御部１２３は、二次電池１２２の充電状態、すなわち、ブーツ温器本体１００が充電器２００上に載置されたか否かを監視し、ブーツ温器本体１００が充電器２００上にあるときは、スイッチＳＷ１及びスイッチＳＷ２をオフに制御しているが、ブーツ温器本体１００が充電器２００上から外されたことを検知すると、スイッチＳＷ１及びスイッチＳＷ２をオンに制御して、第１発熱体１２１及び第２発熱体１３１の発熱を開始するように制御する。
【００２６】
ここで、第１発熱体１２１及び第２発熱体１３１は、二次電池１２２から給電を開始してから１０分程度で目的の温度に達し、その後その温度を維持するように設計するのが好ましい。
【００２７】
また、制御部１２３には、第１発熱体１２１及び第２発熱体１３１の過加温を防止するために、ブーツ温器本体１００が充電器２００上から外されてから一定の時間を経過すると、スイッチＳＷ１及びスイッチＳＷ２を自動的にオフに制御する過加温防止手段が設けられている。ここで、上記一定時間は、第１発熱体１２１及び第２発熱体１３１が目的の温度に達した後、通常のブーツの使用が行われるまでの時間、例えば、３０分程度に設定するのが好ましい。
【００２８】
また、充電器２００の上面には、ブーツ温器本体１００を充電器２００上に載置したときに、ブーツ温器本体１００を充電器２００上に固定するための磁石２２１、２２２が設けられている。なお、このブーツ温器本体１００を充電器２００上に固定するための磁石２２１、２２２は、ブーツ温器本体１００の底面に設けてもよく、また、充電器２００の上面とブーツ温器本体１００の底面の両者に設けてもよい。
【００２９】
また、二次電池１２２は、第１発熱部１２０内に設けるように構成したが、第２発熱部１３０内に設けるように構成してもよく、また、第１発熱部１２０及び第２発熱部１３０の両者に設けるように構成してもよい。
【００３０】
二次電池１２２を第２発熱部１３０内に設ける場合は、これに伴って、制御部１２３、スイッチＳＷ１、スイッチＳＷ２は、第２発熱部１３０内に設けることになり、二次電池１２２を第１発熱部１２０及び第２発熱部１３０の両者に設ける場合は、スイッチＳＷ１が第１発熱部１２０内に設けられ、スイッチＳＷ２が第２発熱部１３０内に設けられることになる。
【００３１】
図３は、図１に示したブーツ温装置の動作を説明するフローチャートである。
【００３２】
図３において、ブーツ温器本体１００が充電器２００上に置かれると（ステップ３０１でＹＥＳ）、二次電池１２２の充電が開始される（ステップ３０２）。
【００３３】
制御部１２３により、ブーツ温器本体１００が充電器２００上から外されたことが検知されると、制御部１２３は、スイッチＳＷ１及びスイッチＳＷ２をオンに制御して、第１発熱体１２１及び第２発熱体１３１の発熱を開始する（ステップ３０４）。
【００３４】
次に、制御部１２３は、ブーツ温器本体１００が充電器２００上に置かれたかを調べ（ステップ３０５）、ブーツ温器本体１００が充電器２００上に置かれると（ステップ３０５でＹＥＳ）、スイッチＳＷ１及びスイッチＳＷ２をオフに制御して、第１発熱体１２１及び第２発熱体１３１への給電を終了し（ステップ３０７）、ステップ３０１に戻る。
【００３５】
制御部１２３により、ブーツ温器本体１００が充電器２００上に置かれていないと判断されると、次に、ブーツ温器本体１００が充電器２００上から外されてから一定の時間を経過したかを調べる（ステップ３０６）。ここで、一定の時間を経過していないと判断されると（ステップ３０６でＮＯ）、ステップ３０５に戻り、ブーツ温器本体１００が充電器２００上に置かれるのを待つ。
【００３６】
ステップ３０６で、ブーツ温器本体１００が充電器２００上から外されてから一定の時間を経過したと判断されると（ステップ３０６でＹＥＳ）、スイッチＳＷ１及びスイッチＳＷ２をオフに制御して、第１発熱体１２１及び第２発熱体１３１への給電を終了し（ステップ３０７）、ステップ３０１に戻る。
【００３７】
図４は、図１に示したブーツ温装置の使用例を説明する図である。
【００３８】
この発明に係るブーツ温装置を使用する場合は、まず、図４（Ａ）に示すようにブーツ温器本体１００が充電器２００上に載置する。この状態で、ブーツ温器本体１００に内蔵された二次電池１２２が充電される。
【００３９】
ブーツ４００内を温めるときは、図４（Ａ）に示す状態のブーツ温器本体１００を充電器２００上から外す。
【００４０】
ここで、充電器２００上からブーツ温器本体１００を外す操作は、ブーツ温器本体１００の弾性体からなる支持部材１１０の中央部を掴んで、支持部材１１０の間隔を狭めて上方に引き抜くことにより容易に行うことができる。
【００４１】
ブーツ温器本体１００を充電器２００上から外すと、ブーツ温器本体１００の第１発熱部１２０に内蔵された第１発熱体１２１及び第２発熱部１３０に内蔵された第２発熱体１３１の給電が開始され、第１発熱体１２１及び第２発熱部１３０の発熱が開始される。
【００４２】
この状態で、図４（Ｂ）に示すように、ブーツ温器本体１００を暖める対象のブーツ４００内に挿入する。このブーツ温器本体１００のブーツ４００内への挿入は、支持部材１１０の中央部を掴んで、支持部材１１０の間隔を狭めることにように容易に行うことができる。
【００４３】
ブーツ温器本体１００をブーツ４００内へ挿入した後、支持部材１１０の中央部から手を離すと、支持部材１１０の弾性力により、ブーツ温器本体１００の第１発熱部１２０は、ブーツ４００の爪先部４１０の内壁に当接し、第２発熱部１３０は、ブーツ４００の踵部４２０の内壁に当接する。
【００４４】
これによりブーツ４００の爪先部４１０の内壁及びブーツ４００の踵部４２０の内壁を第１発熱部１２０及び第２発熱部１３０により暖めることができる。
【００４５】
なお、上記第１発熱部１２０及び第２発熱部１３０の外周を柔らかい布等で被覆すれが、ブーツ４００の爪先部４１０の内壁及びブーツ４００の踵部４２０の内壁の温め効果及び操作性は更に向上する。
【００４６】
この発明に係るブーツ温装置によれば、ブーツ温器本体１００の支持部材１１０が弾性体から形成されているので、どのようなサイズのブーツでも、ブーツ温器本体１００の第１発熱部１２０をブーツ４００の爪先部４１０の内壁に当接させ、第２発熱部１３０をブーツ４００の踵部４２０の内壁に当接させてブーツ４００の爪先部４１０の内壁及びブーツ４００の踵部４２０の内壁を暖めることが可能になる。
【００４７】
なお、本発明は上述の実施形態に限定されるものではなく、本発明の技術的思想の範囲内であれば、当業者の通常の創作能力によって多くの変形が可能である。
【００４８】
例えば、上記構成において、支持部材１１０と第１発熱部１２０とを回動可能に接続するように構成してもよい。
【００４９】
このような構成によると、このブーツ温器本体１００をブーツ４００内に挿入する操作が容易になるとともに、ヒールの高さの異なるブーツ４００に対してもこの発明を最適に適用することが可能になる。
【００５０】
また、この発明に係るブーツ温装置は、短靴に対しても同様に適用可能である。
【産業上の利用可能性】
【００５１】
この発明は、ブーツ４００を履く前に該ブーツ４００内を温めることができる任意の複数のブーツの加温に適用可能なブーツ温装置を提供する。この発明に係るブーツ温装置は、ブーツ４００内に挿入されるブーツ温器本体１００と、充電器２００と、を具備し、ブーツ温器本体１００は、充電器２００に載置された際に充電される二次電池１２２と、弾性体からなるＵ字状の支持部材１１０と、支持部材１１０の一端に設けられ、第１発熱体１２１を内蔵し、ブーツ４００内に挿入された際に、支持部材１１０の弾性力によりブーツの爪先部４１０の内壁に当接される第１発熱部１２０と、支持部材１１０の他端に設けられ、第２発熱体１３１を内蔵し、ブーツ４００内に挿入された際に、支持部材１１０の弾性力によりブーツの踵部４２０の内壁に当接される第２発熱部１３０と、充電器２００から外されたとき、二次電池１２２から第１発熱体１２１及び第２発熱体１３１への給電を開始して第１発熱体１２１及び第２発熱体１３１を発熱させる制御部１２３と、を具備して構成される。
【符号の説明】
【００５２】
１００    ブーツ温器本体
１１０    支持部材
１２０    第１発熱部
１２１    第１発熱体
１２２    二次電池
１２３    制御部
１３０    第２発熱部
１３１    第２発熱体
２００    充電器
４００    ブーツ
【図１】
2015139298.tif 000003
【図２】
2015139298.tif 000004
【図３】
2015139298.tif 000005
【図４】
2015139298.tif 000006